(57)【要約】      （修正有）【課題】楽器本体で発生する気流の縮小損出の変化を解消、または軽減する歌口および歌口と楽器本体との間に装備するリングを提供する。【解決手段】歌口４は、出口内径７を楽器本体の内径３に合わせることにより縮小損出をなくす事が可能となる。また既製品の歌口を利用する場合は、歌口の出口内径７と楽器本体の間の段差を滑らかにする構造をもったリングを装着することにより縮小損出の軽減が可能となる。【選択図】図１
0003234935.tif 000002
【実用新案登録請求の範囲】
【請求項１】
管楽器のオーボエ、オーボエ・ダモーレやイングリッシュ・ホルンに用いる歌口の出口内径を楽器上管入口の内径と同じ径にして、気流の縮小損出をなくした歌口。
【請求項２】
管楽器のオーボエ、オーボエ・ダモーレやイングリッシュ・ホルンに用いる歌口の出口内径を楽器上管入口の内径と同じ径にしたもので、出口から入口に向かい一定の長さだけ出口内径を有し、気流の縮小損出をなくした歌口。
【請求項３】
既製品のオーボエ、オーボエ・ダモーレやイングリッシュ・ホルンに用いる歌口を楽器に装着した時に、歌口の出口内径と楽器本体上部入口の内径の差で発生する気流の縮小損出の軽減を目的とし、歌口の出口内径と楽器本体上部入口内径と内径差を傾斜状に結ぶ円筒構造を有し、演奏時に歌口と楽器本体上部内管にある歌口を装着する部分との間に装備するリング。
【考案の詳細な説明】
【技術分野】
【０００１】  本考案は、管楽器に存在する歌口と管上部の内径差で発生する気流の縮小損出の解消と軽減に関するものである。管楽器とは、オーボエ、オーボエ・ダモーレとイングリッシュ・ホルンである。
【背景技術】
【０００２】  一般的に使われているオーボエの歌口（楽器用語ではチューブと言う）、オーボエ・ダモーレの歌口（楽器用語ではボーカルと言う）とイングリッシュ・ホルンの歌口（楽器用語ではボーカルと言う）の出口内径は歌口の出口が接触する楽器本体上部の内径より大きく、演奏時は内径の小さい径に向かい息を吹き込むので気流の縮小損出が発生している。
【先行技術文献】
【特許文献】
【０００３】なし
【非特許文献】
【０００４】
【非特許文献１】ＣＡＥ科学技術計算のためのオンライン計算ツール。急縮小管の損失係数、圧力損失  ｈｔｔｐｓ：／／ｃａｔｔｅｃｈ−ｌａｂ．ｃｏｍ／ｓｃｉｅｎｃｅ−ｔｏｏｌｓ／ｓｕｄｄｅｎ−ｃｏｎｔｒａｃｔｉｏｎ−ｐｉｐｅ／
【非特許文献２】機械工学便覧、ａ４−８章、日本機械学会、２００６  Ｒｅｆ：森田泰司、流体の作用とその応用機械、東京電機大学出版局、１９７０
【考案の概要】
【考案が解決しようとする課題】
【０００５】  演奏時に歌口から吹きいれた息が歌口の出口と楽器本体の間で発生する気流の縮小損出となり息の抵抗となる。また音の大小を表現する時、吹きこむ息の流量で音の大きさを調整するが、息の速度の二乗で縮小損出の大小が発生する。
【課題を解決するための手段】
【０００６】  歌口の出口内径を歌口の出口が接触する楽器本体上部の内径に合わせることにより縮小損出をなくす事が可能となる。また既製品の歌口を利用する場合は、歌口の出口と歌口の出口が接触する楽器本体上部の間の内径差を滑らかにする構造をもったリングを演奏時に装備することにより縮小損出の軽減が可能となる。
【考案の効果】
【０００７】  上述のように、本考案では歌口により楽器内で生じている気流の縮小損出をなくし、楽器に吹きこむ息の量の大小による縮小損出量の変化を解消できる。また段差を滑らかにする構造をもったリングは、縮小損出量の軽減ができるので、楽器に吹きこむ息の量の大小による損出変化を軽減する効果がある。
【図面の簡単な説明】
【０００８】
【図１】楽器上部と歌口の断面図
【図２】歌口と楽器の接触部で起きる縮小損出を示す断面図
【図３】縮小損失の解消手段を示す断面図
【図４】縮小損失の軽減手段を示す断面図
【図５】分割機構をもった金属製歌口の断面図
【考案を実施するための形態】
【０００９】  図３に示すように、歌口の下部内径を楽器上部管１の歌口の出口が接触部の内径３と同じ径にして、演奏時に息を吹き込んだ気流への縮小損出が起きないようにする。また図４のように、既存のオーボエ用歌口（チューブ）、オーボエ・ダモーレ（ボーカル）、イングリッシュ・ホルンの歌口（ボーカル）の出口内径と楽器本体の内径にある段差で起きる当該部の気流の縮小損出の対策としては、歌口の出口が接触する楽器本体上部の間の内径差を滑らかにする構造をもったテーパ付リング１０を用いて損出を軽減する。
【実施例】
【００１０】  以下、添付図面に従って実施例を説明する。図１左図に示す、楽器上部１は二つの内径を持つ円筒形状をしている。また、図１右図に示す歌口４は円錐形の金属パイプ５に円筒コルク６を接着し歌口４を構成している。演奏時には、歌口４は楽器上部１の歌口挿入筒部２に装着し図２のように使用する。この場合、事項で説明する縮小損出が発生する。【００１１】  オーボエの場合、既存の歌口４は出口内径が直径４．４ｍｍから４．９ｍｍの間のものが使われている。図２図に示すように、楽器上部内径３は４ｍｍが一般的である。よって歌口４を装着すると、装着時に歌口の出口と楽器との接触部で内径差による段差８
0003234935.tif 000003
Ｐ＝ｐ＊ζ＊（ｕ２／２）で求められる。Ｐは流体密（ｋｇ／ｍ３）、ζは損出係数、ｕは楽器上部内径３の息の流速（ｍ／ｓ）である。例として歌口４の出口内径７を４．９ｍｍ、楽器上部管１の歌口接触部内径３を４ｍｍ、息の速度を２０ｍ／ｓとして「ＣＡＥ科学技術計算のためのオンライン計算ツール。急縮小管の損失係数、圧力損失」で計算すると、損出
0003234935.tif 000004
にもなる。図３で示すように、歌口の下部内径を楽器上部管１の歌口の出口が接触部の内径３と同じ径にすると、この縮小損出をなくすことができる。【００１２】  図２図に示す状態は、既存の歌口４を用いて演奏する場合を想定しており、上述のように縮小損出が発生する。この場合に、図４で示すように、歌口の出口内径７と楽器上部歌口接触部内径とでできる段差８を滑らかにする構造をもったリング１０を歌口４と歌口挿入筒部の下部に装着することにより縮小損出の軽減できる。例えば、テーパ付リング１０を装着しない場合は損出係数ζ＝０．５であるが、テーパ付リング１０が４５度の角度を持っている場合は損出係数がζ＝０．２５となり、縮小損出が半分になるのが分かる。【００１３】  歌口の下部内径を楽器上部管１の歌口の出口が接触部の内径３と同じ径にした場合は、歌口４上部の円錐形状が既存のものより円錐を構成する角度が狭まる。歌口４上部の円錐形状をなるべく維持したい場合は、図３に示すように金属パイプ５出口内径部を９の位置にすれば元の円錐形を保ちやすくなる。また図５ｍのように、歌口４全体を金属加工で実現しているものがあるが、この解決手段を施せば同じ効果を得られる。【００１４】  図５に示した金属製歌口で上部１２と金属製歌口下部１３がネジ機構１４によって合体されて金属製歌口１１となるものがあるが、その場合も歌口下部内径７を楽器上部内径３に合わせれば同じ効果を得られる。また上述したように、金属製歌口上部１２と金属製歌口下部１３に至る円錐形状を維持したい場合は、図に示すように金属製歌口下部１３の出口内径を９の位置まで保ち実現する事ができる。
【符号の説明】
【００１４】１  楽器上部
２  歌口挿入筒部
３  楽器上部歌口接触部内径
４  歌口
５  パイプ部（金属）
６  コルク
７  歌口の出口内径
８  装着時に発生する段差
９  楽器上部内径に合わせた内径
１０  テーパ付リング
１１  金属製歌口
１２  金属製歌口上部
１３  金属製歌口下部
１４  ネジ機構
【図１】
0003234935.tif 000005
【図２】
0003234935.tif 000006
【図３】
0003234935.tif 000007
【図４】
0003234935.tif 000008
【図５】
0003234935.tif 000009